(57)【要約】【課題】私設交換機を不要にして大幅なコストの低減を図るとともに、お年寄りの一人暮らし等を考慮して使い勝手及び利便性を向上させ、また、サービス内容の多様性（多機能性）及び発展性を高める。【解決手段】所定の地域Ａにおける少なくとも旧有線放送電話システム１ｏの加入世帯Ｈａ，Ｈｂ，Ｈｃ…の一部又は全部に、少なくともマイクロホンＭｃとスピーカＳｐにより通話可能なインタホン機能Ｆｉを有するコンピューティング装置２ａ，２ｂ，２ｃ…を設置し、このコンピューティング装置２ａ，２ｂ，２ｃ…を常時接続方式により旧有線放送電話システム１ｏの有線放送回線３に接続するとともに、旧有線放送電話システム１ｏの有線放送局Ｂに、インターネットＮに接続した放送局サーバ４を設置し、この放送局サーバ４に有線放送回線３を接続する。【選択図】図１
2004208049.tif 000002
【特許請求の範囲】
【請求項１】
所定の地域における少なくとも旧有線放送電話システムの加入世帯の一部又は全部に、少なくともマイクロホンとスピーカにより通話可能なインタホン機能を有するコンピューティング装置を設置し、このコンピューティング装置を常時接続方式により旧有線放送電話システムの有線放送回線に接続するとともに、前記旧有線放送電話システムの有線放送局に、インターネットに接続した放送局サーバを設置し、この放送局サーバに前記有線放送回線を接続したことを特徴とする有線放送通話システム。
【請求項２】
前記コンピューティング装置と他のコンピューティング装置により、相互に無線通信可能な無線ＬＡＮを構築することを特徴とする請求項１記載の有線放送通話システム。
【請求項３】
前記コンピューティング装置に対して別体の携帯端末装置を備え、この携帯端末装置と当該コンピューティング装置を無線で通信可能に構成することを特徴とする請求項１又は２記載の有線放送通話システム。
【請求項４】
前記コンピューティング装置は、一又は二以上のセンサのセンシング結果を特定の通報先に通報可能な通報機能を有することを特徴とする請求項１，２又は３記載の有線放送通話システム。
【請求項５】
前記コンピューティング装置は、一般の電話機を接続可能に構成してなることを特徴とする請求項１，２，３又は４記載の有線放送通話システム。
【請求項６】
前記有線放送局は、インターネット・サービス・プロバイダを兼ねることを特徴とする請求項１記載の有線放送通話システム。
【発明の詳細な説明】
【０００１】
【発明の属する技術分野】
本発明は、所定の地域における加入世帯を対象とした有線放送通話システムに関する。
【０００２】
【従来の技術】
一般に、私設の電話交換機を設置した有線放送局を有し、所定の地域における加入世帯を対象とした共同加入方式の有線放送電話システムは知られており、特に、地方においては、地域内コミュニケーション手段或いは災害時緊急連絡手段等として広く利用されてきた。しかし、多種多様な通信手段の発達や設備の老朽化などにより、廃止に至るケースも多い。一方、高齢化社会が到来し、一人暮らしのお年寄りが増えるなど、むしろ有線放送電話システムの必要性は高まっているのが実情であり、既存の有線放送電話システム（旧有線放送電話システム）を如何に活用すべきかが重要な課題となっている。
【０００３】
従来、旧有線放送電話システムを再構築する例としては、特開２００１−１６０７７５号公報で開示される放送機能付き無線通信システムが知られている。この無線通信システムは、既存の有線放送電話システムの設備を利用し、工事費の増大を招くことなく再構築するものであり、私設交換機に接続される放送制御装置からの緊急等の一斉放送指令を私設交換機を介し受信した無線基地局が、制御チャンネルを用いて、放送用着呼要求を送出する手順をもち、また、加入者無線端末は、この手順に応答する手段をもち、放送報知用チャンネルとして、予め定められたタイムスロット及び無線周波数（チャネル）を割り当てる手段を設けるとともに、既存の有線放送電話システムのメタルケーブルを、私設交換機と無線基地局の線路に利用したものである。
【特許文献１】
特開２００１−１６０７７５号公報
【０００４】
【発明が解決しようとする課題】
しかし、上述した無線通信システムをはじめ、従来の旧有線放送電話システムの再構築例は、専ら現状のシステムを残したまま新たな要素を追加する形態を用いていたため、次のような問題があった。
【０００５】
第一に、老朽化対策においては、高価な私設交換機の入替コストが最も大きな問題となるが、従来の再構築例では、私設交換機を使用するという基本的な問題が残されてしまう。
【０００６】
第二に、従来タイプの電話機では、操作が面倒になるため、お年寄りの一人暮らし等を考慮した場合、使い勝手が悪く、特に、緊急時等においてはきわめて不便となる。
【０００７】
第三に、システムのサービス内容が電話や放送に限られるため、多様性（多機能性）に欠けるとともに、新たなサービスに対して臨機応変に対応できないなど、発展性にも欠ける。
【０００８】
本発明は、このような従来の技術に存在する課題を解決したものであり、私設交換機を不要にして大幅なコストの低減を図るとともに、お年寄りの一人暮らし等を考慮して使い勝手及び利便性を向上させ、しかもサービス内容の多様性（多機能性）及び発展性を高めることができる有線放送通話システムの提供を目的とする。
【０００９】
【課題を解決するための手段及び実施の形態】
本発明に係る有線放送通話システム１は、所定の地域Ａにおける少なくとも旧有線放送電話システム１ｏの加入世帯Ｈａ，Ｈｂ，Ｈｃ…の一部又は全部に、少なくともマイクロホンＭｃとスピーカＳｐにより通話可能なインタホン機能Ｆｉを有するコンピューティング装置２ａ，２ｂ，２ｃ…を設置し、このコンピューティング装置２ａ，２ｂ，２ｃ…を常時接続方式により旧有線放送電話システム１ｏの有線放送回線３に接続するとともに、旧有線放送電話システム１ｏの有線放送局Ｂに、インターネットＮに接続した放送局サーバ４を設置し、この放送局サーバ４に有線放送回線３を接続したことを特徴とする。
【００１０】
この場合、好適な実施の形態により、コンピューティング装置２ａ（２ｂ…も同じ）と他のコンピューティング装置により、相互に無線通信可能な無線ＬＡＮ１１を構築することができるとともに、コンピューティング装置２ａに対して別体の携帯端末装置１２を設け、この携帯端末装置１２と当該コンピューティング装置２ａを無線で通信可能に構成することもできる。また、コンピューティング装置２ａには、一又は二以上のセンサ１３ｘ，１３ｙ…のセンシング結果を特定の通報先に通報可能な通報機能Ｆｅを設けることができるとともに、一般の電話機１４を接続することもできる。なお、有線放送局Ｂは、インターネット・サービス・プロバイダを兼ねることができる。
【００１１】
【実施例】
次に、本発明に係る好適な実施例を挙げ、図面に基づき詳細に説明する。
【００１２】
まず、本実施例に係る有線放送通話システム１の全体構成について、図１を参照して説明する。
【００１３】
図１中、Ａは、本実施例に係る有線放送通話システム１を適用した所定の地域を示し、Ｈａ，Ｈｂ，Ｈｃ，Ｈｄ…は、有線放送通話システム１の加入世帯をそれぞれ示している。また、３は、有線放送回線であり、地面に立てた多数の支柱５０…に架設された状態を示している。そして、有線放送回線３は、有線放送局Ｂに設置された放送局サーバ（ホストコンピュータ）４に接続されるとともに、有線放送回線３の分岐線３ａ，３ｂ，３ｃ…は、各加入世帯Ｈａ…に引き込まれる。この有線放送回線３（分岐線３ａ…）は、通常、メタルケーブルが使用されている。本実施例に係る有線放送通話システム１では、この有線放送回線３（分岐線３ａ…）をはじめ、有線放送局Ｂ等、旧有線放送電話システム１ｏの全部又は一部をそのまま利用する。
【００１４】
また、各加入世帯Ｈａ…には、従来の有線放送用電話機の代わりにコンピューティング装置２ａ，２ｂ，２ｃ，２ｄ…をそれぞれ設置し、このコンピューティング装置２ａ…は、モデム（ＡＤＳＬモデム等）５ａ，５ｂ，５ｃ…を介して有線放送回線３の各分岐線３ａ，３ｂ，３ｃ…に接続する。この場合、各コンピューティング装置２ａ…は、有線放送回線３に対して常時接続方式により接続する。したがって、各コンピューティング装置２ａ…は、電源をＯＮ状態に維持する限り、ダイヤルアップすることなく他のコンピューティング装置２ｂ…及び放送局サーバ４に対して接続状態となる。
【００１５】
一方、放送局サーバ４はインターネットＮに接続する。有線放送局Ｂ（放送局サーバ４）は、インターネット・サービス・プロバイダ（ＩＳＰ）を兼ねており、これにより、各コンピューティング装置２ａ…は、放送局サーバ４を介してインターネットＮにも接続される。なお、図１において、Ｃａ，Ｃｂ，Ｃｃ…は、有線放送通話システム１を設置した地域Ａ以外の他の地域における世帯を示しており、各世帯Ｃａ…には、インターネットＮに接続したクライアントコンピュータ７ａ，７ｂ，７ｃ…を備えている。
【００１６】
次に、本実施例に係る有線放送通話システム１に用いるコンピューティング装置２ａの構成について、図２及び図３を参照して説明する。
【００１７】
コンピューティング装置２ａは、図２に示すように構成する。２０は全体の制御を司る制御部であり、実質的なクライアントコンピュータとして機能する。この制御部２０には、ＴＣＰ／ＩＰインタフェース２１を接続する。また、ＴＣＰ／ＩＰインタフェース２１には、無線ＬＡＮカード２２を接続する。これにより、コンピューティング装置２ａと他のコンピューティング装置間において無線通信可能な無線ＬＡＮ１１が構築される。図１は、コンピューティング装置２ｃと他のコンピューティング装置２ｄ間に、無線ＬＡＮ１１を構築した場合を示している。したがって、この場合、コンピューティング装置２ｄは、直接、有線放送回線３に接続されることはないが、無線ＬＡＮ１１及びコンピューティング装置２ｃを介して有線放送回線３に接続される。さらに、制御部２０には、この制御部２０に管理されるメモリ部２３を接続する。このメモリ部２３には、電話番号や音声メッセージ等の各種データが登録されている。
【００１８】
一方、２４は受信部であり、この受信部２４の入力ポートは、ＴＣＰ／ＩＰインタフェース２１の受信ポートに接続するとともに、受信部２４の出力ポートには、ディジタル−アナログ信号変換器（Ｄ／Ａ変換器）２５、アンプ２６、スピーカＳｐを順次接続する。この受信部２４は制御部２０により制御される。他方、２７は送信部であり、この送信部２７の出力ポートは、ＴＣＰ／ＩＰインタフェース２１の送信ポートに接続するとともに、送信部２７の入力ポートには、アナログ−ディジタル信号変換器（Ａ／Ｄ変換器）２８、アンプ２９、マイクロホンＭｃを順次接続する。この送信部２７は制御部２０により制御される。このようなマイクロホンＭｃとスピーカＳｐを使用し、さらに、後述する押ボタン３６ａ…を利用すれば、一般家庭に設置される一般的なインタホンと同じ要領で通話を行うことができ、この機能がインタホン機能Ｆｉとなる。
【００１９】
また、送信部２７の他の入力ポートには、電話機インタフェース３０を接続する。この電話機インタフェース３０には、一般の電話機１４を接続することができる。なお、電話機インタフェース３０は、Ｄ／Ａ変換器２５を介して受信部２４にも接続される。一方、加入世帯Ｈａには、一又は二以上のセンサ１３ｘ，１３ｙ…を設置する。センサ１３ｘ，１３ｙ…としては、火災センサをはじめ、トイレが一定期間以上使用されなかった場合に異常信号を出力する異常センサ等を使用することができる。各センサ１３ｘ，１３ｙ…は、制御部２０に接続されたセンサインタフェース３１に接続する。これにより、センサ１３ｘ，１３ｙ…のセンシング結果を特定の通報先に通報する通報機能Ｆｅが構成される。
【００２０】
さらに、コンピューティング装置２ａには、制御部２０に接続した無線インタフェース３２を備えるとともに、この無線インタフェース３２に対して別体に構成した携帯端末装置１４を備える。この携帯端末装置１４は、いわゆるポケベルのようにポケット等に入れて携帯することができる。これにより、携帯端末装置１４は無線インタフェース３２に対して無線通信可能となる。
【００２１】
他方、図３は、コンピューティング装置２ａの外観構成を示す。コンピューティング装置２ａは、ハウジング３５を備え、このハウジング３５の前面に、操作パネル部３３を設ける。この操作パネル部３３の裏側には、前述したスピーカＳｐ及びマイクロホンＭｃを配設する。また、操作パネル部３３の表側には、押ボタン３６ａ，３６ｂ，３６ｃ，３６ｄ及びフラッシュランプ３７を配設する。コンピューティング装置２ａは、前述したインタホン機能Ｆｉを備えるため、コンピューティング装置２ａの外観も一般的なインタホンのようにシンプルに構成し、特に、お年寄りでも容易に操作できるように考慮する。
【００２２】
この押ボタン３６ａ，３６ｂ，３６ｃ，３６ｄにより、予め登録した通話先（電話番号）に、ワンタッチ操作で通話することができる。例えば、押ボタン３６ａを子供の家の電話番号に対応させておけば、押ボタン３６ａを押すのみで、後は、一般的なインタホンのように相互に会話を行うことができる。なお、押ボタン３６ａ…の少なくとも一つ、例えば、押ボタン３６ｄを非常通報用押ボタンに設定することもできる。また、フラッシュランプ３７により、利用者の耳が遠いような場合、点滅させることによって電話着信を知らせることができる。これらの押ボタン３６ａ…とフラッシュランプ３７は、図２に示す操作パネル部３３に含まれており、それぞれ制御部２０に接続される。
【００２３】
その他、図３中、３８は接続ケーブルを示し、上述したセンサ１３ｘ，１３ｙ…に接続する。また、コンピューティング装置２ａ（ＴＣＰ／ＩＰインタフェース２１）は、前述したモデム５ａに接続するとともに、このモデム５ａはハブ４０に接続する。このハブ４０は有線放送回線３（分岐線３ａ）に接続する。以上、コンピューティング装置２ａについて説明したが、他のコンピューティング装置２ｂ，２ｃ，２ｄ…も基本的な構成は、コンピューティング装置２ａと同じである。
【００２４】
次に、本実施例に係る有線放送通話システム１の機能（動作）について、各図を参照して説明する。
【００２５】
まず、放送局サーバ（ホストコンピュータ）４とこの放送局サーバ４に接続される各コンピューティング装置２ａ…は、有線によるネットワークが構成されるため、相互通信（会話）を行うことができる。また、各コンピューティング装置２ａ…と放送局サーバ４は常時接続方式により接続されているため、有線放送局Ｂは、放送局サーバ４を介して旧有線放送電話システム１ｏと同様に、定時放送や緊急放送等を流すことができる。したがって、本実施例に係る有線放送通話システム１は、基本的な機能として、旧有線放送電話システム１ｏと同等の機能を備えている。
【００２６】
一方、放送局サーバ４は、インターネットＮに接続されるとともに、ＩＳＰを兼ねているため、インターネットＮを介して、有線放送通話システム１を設置した地域Ａ以外の他の地域における各世帯Ｃａ…とも自由に通話（通信）可能である。この場合、インターネット電話を利用することもできる。
【００２７】
他方、コンピューティング装置２ａ（２ｂ…も同じ）に着目した場合、このコンピューティング装置２ａは、インタホン機能Ｆｉを備えるため、外観も一般的なインタホンのようにシンプルに構成され、お年寄りでも容易に操作できるように考慮されている。したがって、任意の押ボタン３６ａ…を選択して押せば、選択した押ボタン３６ａ…に対応した相手先と一般的なインタホンのように、相互に会話を行うことができる。
【００２８】
また、押ボタン３６ａ…の少なくとも一つ、例えば、押ボタン３６ｄを非常通報用押ボタンに設定した場合には、押ボタン３６ｄを押すのみで、予め登録した通報先である例えば近所の家等に、予め登録した音声メッセージ、具体的には、「直ぐに来て下さい」等の音声メッセージを送信することができる。なお、電話機１４は、一般の電話機として使用することができる。
【００２９】
さらに、コンピューティング装置２ａには、ポケベルのようにポケット等に入れて携帯することができる携帯端末装置１４を備えるため、携帯端末装置１４を常時携帯することにより、この携帯端末装置１４を用いて通話を行うことができる。特に、お年寄りの一人暮らしにおいて、不意の事故等により動けなくなった場合には、この携帯端末装置１４を利用して相手先を呼び出し、通話を行うことができる。一方、一又は二以上のセンサ１３ｘ，１３ｙ…が設置されるため、例えば、火災センサが火災を感知したり、異常センサにより異常を検知した場合には、予め登録した通報先に、自動でその旨の通報が行われる。この場合、予め登録した音声メッセージを利用することができる。
【００３０】
このような本実施例に係る有線放送通話システム１は、従来の有線放送電話システムにおける私設交換機が老朽化した場合であっても、私設交換機を用いることなく再構築することができるため、大幅なコストの低減を図ることができる。また、基本的には、一般的なインタホンと同じ要領で使用できるため、操作が極めて容易となり、例えば、予め登録した外国の相手先に対しても押ボタン３６ａ…を押すのみで手軽に会話を行うことができるとともに、急病等の緊急時等においても迅速かつ確実に操作できるなど、きわめて便利となり、お年寄りは安心して生活することができる。しかも、無線ＬＡＮ１１の構築をはじめ、センサ１３ｘ，１３ｙ…のセンシング結果の通報機能Ｆｅ及びコンピューティング装置２ａ…に対して無線通信可能な携帯端末装置１２を備えることができるなど、システムのサービス内容の多様性（多機能性）を高めることができるとともに、新たなサービスに対しても臨機応変に対応でき、発展性を高めることができる。
【００３１】
以上、実施例について詳細に説明したが、本発明はこのような実施例に限定されるものではなく、細部の構成，部品，手法等において、本発明の要旨を逸脱しない範囲で任意に変更，追加，削除することができる。例えば、モデム５ａとハブ４０等の接続においてケーブルを使用した例を挙げたが、必要により接続は無線により行うことができる。また、センサ１３ｘ，１３ｙ…として火災センサや異常センサを例示したが、必要により一又は二以上の各種センサを用いることができるとともに、コンピューティング装置２ａ…には、音声応答機能等の他の必要な付加機能を設けることもできる。なお、本発明に係る有線放送通話システム１は、旧有線放送電話システム１ｏを再構築する際に利用できるため、少なくとも旧有線放送電話システム１ｏの加入世帯の一部又は全部を対象とすることができるが、もちろん新規の加入世帯を排除するものではない。
【００３２】
【発明の効果】
このように、本発明に係る有線放送通話システムは、所定の地域における少なくとも旧有線放送電話システムの加入世帯の一部又は全部に、少なくともマイクロホンとスピーカにより通話可能なインタホン機能を有するコンピューティング装置を設置し、このコンピューティング装置を常時接続方式により旧有線放送電話システムの有線放送回線に接続するとともに、旧有線放送電話システムの有線放送局に、インターネットに接続した放送局サーバを設置し、この放送局サーバに有線放送回線を接続したため、次のような顕著な効果を奏する。
【００３３】
（１）  旧有線放送電話システムの私設交換機が老朽化した場合であっても、私設交換機を用いることなく再構築することができるため、大幅なコストの低減を図ることができる。
【００３４】
（２）  お年寄りの一人暮らし等を考慮して一般的なインタホンと同じ要領で使用できるようにしたため、操作が極めて容易となり、例えば、予め登録した外国の相手先に対しても押ボタンを押すワンタッチ操作のみで手軽に通話できるとともに、急病等の緊急時等においても迅速かつ確実に操作できるなど、使い勝手及び利便性を飛躍的に高めることができる。この結果、お年寄りは安心して生活することができる。
【００３５】
（３）  好適な実施の形態により、コンピューティング装置と他のコンピューティング装置間を無線通信可能にする無線ＬＡＮの構築をはじめ、センサのセンシング結果を特定の通報先に通報する通報機能及びコンピューティング装置に対して無線通信可能な携帯端末装置を設ければ、サービス内容の多様性（多機能性）及び発展性を高めることができる。
【図面の簡単な説明】
【図１】本発明の好適な実施例に係る有線放送通話システムの系統図、
【図２】同システムにおけるコンピューティング装置のブロック回路図、
【図３】同システムにおけるコンピューティング装置の外観斜視図、
【符号の説明】
１      有線放送通話システム
１ｏ    旧有線放送電話システム
２ａ…  コンピューティング装置
３      有線放送回線
４      放送局サーバ
１１    無線ＬＡＮ
１２    携帯端末装置
１３ｘ…  センサ
１４    電話機
Ａ      所定の地域
Ｂ      有線放送局
Ｆｉ    インタホン機能
Ｆｅ    通報機能
Ｈａ…  加入世帯
Ｍｃ    マイクロホン
Ｓｐ    スピーカ
Ｎ      インターネット
【図１】
2004208049.tif 000003
【図２】
2004208049.tif 000004
【図３】
2004208049.tif 000005